(57)【特許請求の範囲】
【請求項１】
印刷データを印刷媒体に印刷する印刷部と、
この印刷部の印刷動作に関連して装置で発生する可能性のある障害を表示する複数のエラー情報からなるエラー表示セットであって、互いに表現形態が異なる複数のエラー表示セットを記憶する記憶部と、
前記装置で発生した障害に関する前記エラー情報を表示する表示部と、
前記エラー表示セットの選択入力を受け付ける入力部と、
前記装置の動作によって発生した障害に係る前記エラー情報を、前記入力部で選択入力された前記エラー表示セットに基づき前記表示部に表示制御するエラー制御部と、
を具備し、
前記記憶部は、前記エラー表示セットとして１個のデフォルトのエラー表示セットおよびこれに対応したカスタマイズエラー表示セットを記憶し、前記入力部は、当該装置を使用するユーザに係るユーザ情報の入力と、表示された前記エラー表示セット間の表示切換選択とを受け付ける機能を有し、前記エラー制御部は、前記ユーザ情報に関連付けられたデフォルトの前記エラー表示セット又は前記カスタマイズエラー表示セットの表示中に前記表示切換選択を受けたとき、デフォルトの前記エラー表示セットと前記カスタマイズエラー表示セットとの間で前記エラー情報を切換え表示制御することを特徴とする画像形成装置。
【請求項２】
前記入力部は、前記エラー表示セットの表現形態の変更入力を受け付けて前記記憶部に記憶する機能を有する請求項１記載の画像形成装置。
【請求項３】
前記記憶部は、互いにエラーメッセージの異なる前記エラー表示セットを記憶する請求項１又は２記載の画像形成装置。
【請求項４】
前記記憶部は、団体向けのエラーメッセージからなる前記エラー表示セットを記憶する請求項３記載の画像形成装置。
【請求項５】
前記記憶部は、学校向けのエラーメッセージからなる前記エラー表示セットを記憶する請求項４記載の画像形成装置。
【請求項６】
前記記憶部は、互いに表示色、文字ポイント、文字フォント、又は動きのある文字変化の異なる前記エラー表示セットを記憶する請求項１又は２記載の画像形成装置。
【発明の詳細な説明】
【技術分野】
【０００１】
本発明は画像形成装置に係り、例えば複合機（ＭＦＰ：Multi Function Peripheral）等に搭載して好適する画像形成装置の改良に関する。
【背景技術】
【０００２】
近年、複合機等の画像形成装置にあっては、動作障害があるとき、その検出時にその障害に係るメッセージを示すエラー情報を表示可能に構成し、円滑な使用を確保しようとしている。
【０００３】
ところが、画像形成装置における実際の障害は多数あり、エラー情報、例えば発生した障害の内容説明や障害への対処方法をメッセージにして分かり易く表示するには特別の工夫が必要である。
【０００４】
そこで、例えば特開２００５−３０１４２５号公報（特許文献１）のような技術が提案されている。
【０００５】
この特許文献１は、表示手段に表示するエラーの優先順位を登録可能にするとともに、複数のエラーが発生している場合に、そのエラーの数に応じてランプの点滅回数を可変したり、全てのエラーを表示させ、ユーザが発生の有無を知りたいエラーを優先的に知ることが可能であるうえ、それらエラー数又は全てのエラー内容を知ることができるようにしたものである。
【特許文献１】特開２００５−３０１４２５号公報
【発明の開示】
【発明が解決しようとする課題】
【０００６】
しかし、上述した特許文献１では、単に、エラーに優先順位をつけて表示したり、ユーザが知りたいエラーを表示することを目的としたものであり、表示するエラーの表現内容は、予め、製造メーカや供給元が一般人向けに汎用に作成したメッセージとなっており、例えば、小学校等において児童生徒が使用するには難解な表現があって使い難い場合がある。
【０００７】
さらに、一般の企業内においても、当該企業内でのみ使用する専門用語やキーワードがあり、それら企業内の専門用語やキーワードを用いてエラー表示できると使い勝手が向上する。
【０００８】
本発明はそのような課題を解決するためになされたもので、障害の発生に基づくエラー情報の表示形態の選択や変更が可能で、操作性を向上させた画像形成装置の提供を目的とする。
【課題を解決するための手段】
【０００９】
そのような課題を解決するために本発明に係る画像形成装置は、印刷データを印刷媒体に印刷する印刷部と、この印刷部の印刷動作に関連して装置で発生する可能性のある障害を表示する複数のエラー情報からなるエラー表示セットであって、互いに表現形態が異なる複数のエラー表示セットを記憶する記憶部と、その装置で発生した障害に関するエラー情報を表示する表示部と、そのエラー表示セットの選択入力を受け付ける入力部と、その装置の動作によって発生した障害に係るエラー情報を、その入力部で選択入力されたエラー表示セットに基づきその表示部に表示制御するエラー制御部とを具備している。
【００１０】
本発明の画像形成装置では、上記入力部が、そのエラー表示セットの表現形態の設定入力を受け付けてその記憶部に記憶する機能を有する構成も可能である。
【００１１】
本発明の画像形成装置では、上記記憶部が、互いにエラーメッセージの異なる上記エラー表示セットを記憶する構成も可能である。
【００１２】
本発明の画像形成装置では、上記記憶部が、団体向けのエラーメッセージからなるそのエラー表示セットを記憶する構成も可能である。
【００１３】
本発明の画像形成装置では、上記記憶部が、学校向けのエラーメッセージからなるそのエラー表示セットを記憶する構成も可能である。
【００１４】
本発明の画像形成装置では、上記記憶部が、互いに表示色、文字ポイント、文字フォント、又は動きのある文字変化の異なるそのエラー表示セットを記憶する構成も可能である。
【００１５】
本発明の画像形成装置では、上記記憶部は、エラー表示セットとして１個のデフォルトのエラー表示セットおよびこれに対応したカスタマイズエラー表示セットを記憶し、上記入力部は、当該装置を使用するユーザに係るユーザ情報の入力と、表示されたエラー表示セット間の表示切換選択とを受け付ける機能を有し、上記エラー制御部は、そのユーザ情報に関連付けられたデフォルトのエラー表示セット又はカスタマイズエラー表示セットの表示中にその表示切換選択を受けたとき、デフォルトのエラー表示セットとカスタマイズエラー表示セットとの間でエラー情報を切換え表示制御する構成である。
【００１６】
本発明の画像形成装置では、上記入力部が当該装置を使用するユーザに係るユーザ情報の入力を受け付け、上記エラー制御部がそのユーザ情報毎のエラー表示セットを作成制御する構成である。
【発明の効果】
【００１７】
このような本発明に係る画像形成装置では、印刷部の印刷動作に関連して装置で発生する可能性のある障害を表示する複数のエラー情報からなり記憶部に記憶されたエラー表示セットであって、互いに表現形態が異なる複数のエラー表示セットが、入力部から選択入力されると、エラー制御部がその装置の動作によって発生した障害に係るエラー情報を、その選択入力されたエラー表示セットに基づき表示部に表示制御するから、ユーザによってエラー情報の表示形態の選択や変更が可能で、操作性が向上する。
【００１８】
本発明の画像形成装置にいて、上記入力部が、そのエラー表示セットの表現形態の変更入力を受け付けてその記憶部に記憶する機能では、そのエラー表示セット毎の表現形態を変更設定することが可能となる。
【００１９】
本発明の画像形成装置において、上記記憶部が、互いにエラーメッセージの異なる上記エラー表示セットを記憶する構成では、文字によるメッセージによってエラー情報の表示が可能で、画像形成装置の適切な使用が可能となる。
【００２０】
本発明の画像形成装置において、上記記憶部が、団体向けのエラーメッセージからなるそのエラー表示セットを記憶する構成では、団体特有のメッセージによってエラー情報の表示が可能で、当該団体内において画像形成装置の適切な使用が可能となる。
【００２１】
本発明の画像形成装置において、上記記憶部が、学校向けのエラーメッセージからなるそのエラー表示セットを記憶する構成では、低学年から高学年の児童生徒、更に、高校、大学又は専門学校において、各々の学校に応じたメッセージによってエラー情報の表示が可能で、画像形成装置の適切な使用が可能となる。
【００２２】
本発明の画像形成装置において、上記記憶部が、互いに表示色、文字ポイント、文字フォント、又は文字変化の異なるそのエラー表示セットを記憶する構成では、異なる文字表現によるメッセージ以外に、互いに、表示色、文字ポイント、文字フォント、又は文字の動きが異なるそのエラー表示セットに基づくエラー情報の表示が可能となる。
【００２３】
本発明の画像形成装置において、上記記憶部が、エラー表示セットとして１個のデフォルトのエラー表示セットおよびこれに対応したカスタマイズエラー表示セットを記憶し、上記入力部が、当該装置を使用するユーザに係るユーザ情報の入力と、表示されたエラー表示セット間の表示切換選択とを受け付ける機能を有し、上記エラー制御部が、ユーザ情報に関連付けられたデフォルトのエラー表示セット又はカスタマイズエラー表示セットの表示中にその表示切換選択を受けたとき、デフォルトのエラー表示セットとカスタマイズエラー表示セットとの間でエラー情報を切換え表示制御するから、選択されたデフォルトのエラー表示セットのエラー情報とカスタマイズエラー表示セットのエラー情報とを切換え表示可能となり、デフォルトおよびカスタマイズのエラー情報から、ユーザ毎に障害の正確な把握が容易になる。
【００２４】
【発明を実施するための最良の形態】
【００２５】
以下、本発明の実施の形態を図面を参照して説明する。
【００２６】
図１は本発明に係る画像形成装置の実施の一形態を示す概略ブロック図である。
【００２７】
画像形成装置Ａは、印刷制御部１を中心にして画像読取部３、通信部５、記憶部７、操作パネル部９、印刷部１１およびエラー制御部１３を有し、例えば複合機を構成している。
【００２８】
なお、画像形成装置Ａとしてはこれ以外にも種々の構成を有するが、本発明の要部ではないので説明および図示を省略する。
【００２９】
印刷制御部１は、画像読取部３、通信部５、記憶部７、操作パネル部９、印刷部１１およびエラー制御部１３を制御するものであるが、詳細は後述する。
【００３０】
画像読取部３は、例えば図２の画像形成装置Ａにおいて、本体ケース１５の上部に配置され、印刷制御部１の制御の下、例えば印刷された原稿から画像を光学的に読み込み、フィルタ処理等をして電子的印刷データを生成する公知のスキャナー等であり、生成した印刷データが原稿の頁毎に記憶部７に順次記憶されるようになっている。画像形成装置Ａの内部構成については後述する。
【００３１】
図１に戻って、通信部５は、印刷制御部１の制御の下、ネットワークを介して例えば他の複合機（何れも図示せず。）との間で、画像や文書を含む印刷データを所定のプロトコルで受信し、頁毎に記憶部７に順次記憶するインターフェース部である。
【００３２】
記憶部７は、画像読取部３や通信部５からの印刷データ、印刷制御部１の動作プログラムの他、後述する管理データ、エラー情報一覧および動作画面等を格納する読み書き可能な例えばハードディスク（ＨＤＤ）である。
【００３３】
管理データは、印刷部１１の印刷動作に関連して画像形成装置Ａで発生する可能性のある障害に係る複数のエラー情報からなるエラー表示セットであって、互いに表現形態が異なる複数のエラー表示セットを表示優先順位を付けて有するテーブル状データであり、予め記憶部７に設定記憶されている。
【００３４】
すなわち、管理データは、例えば図３に示すように、デフォルトエラー表示セットおよびカスタマイズエラー表示セット１等を有しており、デフォルトエラー表示セットは製造メーカや供給元が一般人向けに汎用に作成した文字によるエラーメッセージを内容とし、カスタマイズエラー表示セット１は特定の団体向け、例えば小学校向けに、児童や生徒に分かるような表現で文字によるエラーメッセージを内容としている。なお、カスタマイズエラー表示セット１も、製造メーカや供給元が予め作成して供給することになるであろう。
【００３５】
デフォルトエラー表示セットおよびカスタマイズエラー表示セット１におけるエラー情報の内容は各々対応しており、デフォルトエラー表示セットの「用紙補給してください。カセット１」には、カスタマイズエラー表示セット１の「かみをカセット１にいれてください。」が対応する。
【００３６】
さらに、デフォルトエラー表示セットの「代用給紙します。解除を押してください。」、「エラーが発生しました。サービス担当者に連絡してください。」、「用紙が詰まりました。用紙を取り除いてください。」および「両面印刷できません。解除を押してください。」に対し、カスタマイズエラー表示セット１の「解除ボタンをおすと、うごきます。」、「エラーでうごきません。せんせいをよんでください。」、「かみがつまりました、せんせいをよんでください。」および「解除ボタンをおすと、うごきます。」が各々対応する。
【００３７】
このように、デフォルトエラー表示セットおよびカスタマイズエラー表示セット１におけるエラー情報の内容は各々対応しているものの、学校の児童生徒に理解し易いように、メッセージ内容が省略されたり、別の文字表現に置き換えられている。
【００３８】
管理データの優先順位は、画像形成装置Ａで障害が発生したとき、デフォルトエラー表示セットおよびカスタマイズエラー表示セット１から対応する障害に係るエラー情報を降順又は昇順で表示する表示順位であり、操作パネル部９においてユーザの選択入力を受付けて選択設定されている。
【００３９】
操作パネル部９は、例えば図２の画像形成装置Ａの本体ケース１５の上部に配置され、画像形成装置Ａの動作状態（動作時に発生するエラー情報を含む）を表示する液晶形の表示部として機能するとともに、印刷する印刷媒体である印刷用紙をセットする後述する給紙段１７ａ、１７ｂの選択、印刷の実行又は中止、印刷部数等の指示入力部としての機能の他、上述した管理データ中のエラー表示セットの選択入力、当該画像形成装置Ａを使用するユーザに係るユーザ情報（ユーザ識別符号）の入力、表示されたエラー情報を選択してこれに該当する障害を解除する解除入力を受付ける入力部として機能しており、印刷制御部１によって制御される。
【００４０】
すなわち、操作パネル部９は、印刷制御部１の制御の下、上述した図３の管理データを表示するとともに、図示しないキーボタン等の操作により、デフォルトエラー表示セット又はカスタマイズエラー表示セット１の選択、エラー情報の表示優先順位等の入力を受け付け、それらを記憶部７に記憶設定する機能を有している。
【００４１】
しかも、操作パネル部９は、図４Ａ、Ｂに示すように、後述するエラー情報一覧の表示切り換え機能、選択された個々のエラー情報に対する障害の解除入力を受付ける機能を有しているが、詳細は後述する。
【００４２】
なお、図４に示す表示は、操作パネル部９から入力されたユーザ情報に該当する個々のユーザ毎のものであり、各々の表示領域をタッチすれば選択入力可能になっている。
【００４３】
印刷部１１は、図２の画像形成装置Ａの本体ケース１５内に配置され、給紙段１７ａ、１７ｂから用紙を給紙し、給紙し搬送された用紙の片面又は両面に印刷データをモノクロ印刷又はカラー印刷して排紙するものである。詳細は後述する。
【００４４】
エラー制御部１３は、操作パネル部９で選択入力されたエラー表示セットに基づき、画像形成装置Ａの動作によって発生した障害に係るエラー情報一覧をユーザ毎に作成制御し、そのエラー情報一覧を操作パネル部９に表示制御するとともに、操作パネル部９における解除入力により、画像形成装置Ａにおける該当する障害状態を解除制御する機能を有している。
【００４５】
すなわち、エラー制御部１３は、上述した管理データに基づき操作パネル部９から選択入力されたエラー表示セットおよびユーザ情報に基づき、選択入力されたエラー表示セットの中から障害発生時に該当するエラー情報を検索し、図４Ａに示すように、予めカスタマイズエラー表示セット１に設定された例えば優先順位の高いものから降順にエラー情報を配列したエラー情報一覧を作成制御し、操作パネル部９に表示制御する機能を有している。
【００４６】
なお、図４中の符号９ａ〜９ｄは、図３中のエラー項目に対応したエラー内容を表示する表示領域である。
【００４７】
一例として、図４Ａでは、指定されたカセット１の用紙切れ障害に対応する「解除ボタンをおすと、うごきます。」、カセット１の用紙の代用用紙での印刷実行に対応する「エラーでうごきません。せんせいをよんでください。」、用紙詰まりへの処理に対応する「かみがつまりました、せんせいをよんでください。」が表示されている。
【００４８】
また、エラー制御部１３は、操作パネル部９の切換ボタン９ｄの選択入力により、図４Ｂに示すように、デフォルトのエラー表示セットに基づく「用紙補給してください。カセット１」、「代用給紙します。解除を押してください。」、「用紙が詰まりました。用紙を取り除いてください。」のエラー情報一覧を作成制御して操作パネル部９に表示制御する。図４Ｂの符号９ｆ、９ｇ、９ｈはエラー内容を表示する表示領域である。
【００４９】
なお、図４Ｂにおいて切換ボタン９ｄを選択入力すれば、同図Ａの表示状態に戻るようになっている。
【００５０】
さらに、エラー制御部１３は、操作パネル部９の解除ボタン９ｅの選択入力により、操作パネル部９にて選択された各々エラー情報に係る障害状態を解除制御する機能を有している。詳細は後述する。
【００５１】
印刷制御部１は、ＣＰＵ、このＣＰＵの起動プログラムを格納したメモリ部、入出力インターフェース（いずれも図示せず。）を有し、上述した画像読取部３、通信部５、記憶部７、操作パネル部９、印刷部１１およびエラー制御段１３を制御するとともにその一部を担っている。
【００５２】
印刷制御部１は、給紙段１７ａ、１７ｂから用紙を給紙し、記憶部７の印刷データを用紙に印刷して排紙するよう、印刷部１１を制御して印刷排紙する機能を有している。
【００５３】
印刷制御部１は、画像形成装置Ａ中の諸動作を監視し、上述した管理データ中のエラー情報に該当する障害が発生したとき、障害情報をエラー制御部１３に出力するとともに、エラー制御部１３からの障害解除指示に基づき、該当する機能の解除又は強制継続の実行を制御する機能を有している。
【００５４】
図２は、上述した画像形成装置Ａの内部構成を示す概略図である。
【００５５】
図２において、画像形成装置Ａの本体ケース１５の下部には、複数の給紙段１７ａ、１７ｂに加え、これらの給紙段１７ａ、１７ｂから１次給紙された用紙を２次給紙する搬送部に、印刷データを転写定着して画像形成する転写定着部１９が配置され、上述した印刷部１１が配置されている。
【００５６】
反転搬送部２１は、片面に画像が転写定着された用紙を両面印刷用に表裏反転させて転写定着部１９に戻す機能を有し、印刷部１１を形成している。
【００５７】
本体ケース１５の側面上部には、印刷部１１で印刷された用紙が排紙される排紙口２３が形成されている。
【００５８】
本体ケース１５の上部には、上述した画像読取部３および操作パネル部９が配置されており、印刷制御部１、通信部５、記憶部７およびエラー制御部１３が本体ケース１５内部の適当な位置に電子回路を形成して配置されている。
【００５９】
次に、本発明に係る画像形成装置Ａの動作を説明する。
【００６０】
なお、図３に示すように、デフォルトエラー表示セットおよびカスタマイズエラー表示セット１からなる管理データが予め記憶部７に記憶されており、例えば、特定のユーザ識別情報に関連付けてカスタマイズエラー表示セット１が選択入力設定されている場合を説明する。
【００６１】
特定のユーザは、操作パネル部９からユーザ識別情報等のユーザ情報を入力し、操作パネル部９で表示させるカスタマイズエラー表示セット１を管理データ中から選択入力しておく。
【００６２】
画像形成装置Ａにおいて、操作パネル部９から印刷動作が指示されて動作スタートすると、印刷部１１が用紙を給紙して印刷データを転写定着させて排紙口２３から排紙する。
【００６３】
特定のユーザによる画像形成装置Ａの印刷動作中に、何れかの障害が発生すると、該当する障害情報を印刷制御部１がエラー制御部１３へ出力し、エラー制御部１３が、発生障害に係るエラー情報一覧を、設定されたカスタマイズエラー表示セット１から当該ユーザ毎に作成制御するとともに、そのエラー情報一覧を操作パネル部９に表示制御し、例えば図４Ａに示すように、エラー情報一覧が操作パネル部９に表示される。
【００６４】
図４Ａは、図３の管理データ中のカスタマイズエラー表示セット１の内、「かみをカセット１にいれてください。」という表現領域９ａで、「解除ボタンをおすと、うごきます。」という表現領域９ｂで、「エラーでうごきません。せんせいをよんでください。」という表現領域９ｃで一覧表示するものである。
【００６５】
このようなエラー情報のメッセージ表現は、学校、特に小学校において、低学年から高学年の児童生徒に分かり易く、障害の発生に対する対応を取り易いうえ、画像形成装置Ａの円滑な使用が容易になる。
【００６６】
そして、図４Ａにおいて、操作パネル部９の切換ボタン９ｄのタッチ入力により、図４Ｂに示すように、デフォルトエラー表示セットに基づく「用紙補給してください。カセット１」、「代用給紙します。解除を押してください。」、「用紙が詰まりました。用紙を取り除いてください。」のエラー情報一覧が作成制御されて表示される一方、同図Ｂにおいて切換ボタン９ｄを選択入力すれば、同図Ａの表示状態に戻る。
【００６７】
さらに、図４において、操作パネル部９からの解除ボタン９ｅをタッチ入力すれば、選択された各々エラー情報に係る障害状態が解除制御される。
【００６８】
このように本発明に係る画像形成装置Ａでは、印刷データを印刷用紙に印刷する印刷部１１と、この印刷部１１の印刷動作に関連して装置で発生する可能性のある障害を表示する複数のエラー情報からなるエラー表示セットであって、互いにエラーメッセージが異なる複数のエラー表示セットを記憶する記憶部７と、その装置Ａで発生した障害に関するエラー情報を表示する操作パネル部（表示部）９と、そのエラー表示セットの選択入力を受け付けるとともにエラー表示セットの表現形態の変更入力を受け付けてその記憶部７に記憶する操作パネル部（入力部）９と、その装置Ａの動作によって発生した障害に係るエラー情報を、その操作パネル部９で選択入力されたエラー表示セットに基づきその操作パネル部９に表示制御するエラー制御部１３と、を具備している。
【００６９】
そのため、障害の発生に基づくエラー情報の表示形態をユーザが選択したり変更することが可能で、操作性が向上するうえ、画像形成装置Ａの設置環境に応じたメッセージ表現によってエラー情報の表示が可能で、画像形成装置Ａの円滑な使用が可能となる。
【００７０】
例えば、団体向けのエラーメッセージからなるそのエラー表示セット（カスタマイズエラー表示セット１）を記憶部７に記憶させておけば、団体特有のメッセージによってエラー情報の表示が可能で、画像形成装置の適切な使用が可能となる。
【００７１】
特に、その団体として、学校向けのエラーメッセージからなるそのエラー表示セット（カスタマイズエラー表示セット１）を記憶部７に記憶しておけば、低学年から高学年の児童生徒、更に、高校、大学や専門学校において、各々の学校に応じたメッセージによってエラー情報の表示が可能で、画像形成装置Ａの円滑な使用が可能となる。
【００７２】
さらに、本発明においては、そのエラー表示セットとして１個のデフォルトのエラー表示セットを記憶部７に記憶し、表示されたカスタマイズエラー表示セット１に係るそのエラー表示とデフォルトのエラー表示セットに係るそのエラー情報との切換選択を操作パネル部９で受け付けるから、その切換選択により、選択されたカスタマイズエラー表示セット１に係るエラー表示とデフォルトのエラー表示セットに係るエラー情報とを切換え表示制御することが可能となり、デフォルトのエラー表示セットに基づくエラー情報により、発生した障害の正確な把握が容易となる。
【００７３】
すなわち、上述したカスタマイズエラー表示セット１は学校向けのメッセージ内容からなっているため、画像形成装置Ａを操作する児童生徒にとっては分かり易くても、学校の担当教員等の管理者や保守要員にとっては、端的に障害内容を把握し難い場合も予想され、デフォルトのエラー表示セットに基づくエラー情報の表示によって障害内容の正確な把握が容易となる。
【００７４】
なお、団体向けのエラー表示セットは、教師と生徒学生からなる学校に限らず、一般的な企業等の法人の他、任意団体等の団体名義で活動する団体において実施可能である。
【００７５】
しかも、本発明において、当該装置Ａを使用するユーザに係るユーザ情報の入力を受け付け、そのユーザ情報毎のエラー表示セットを作成制御するから、ユーザ毎にエラー表示セットの作成制御および表示制御が可能となる。
【００７６】
ところで、本発明の画像形成装置においては、上述した管理データは、１個のデフォルトのエラー表示セットとカスタマイズカスタマイズエラー表示セット１の組合せに限定されず、複数のエラー表示セットからなっていれば良い。
【００７７】
そして、本発明の画像形成装置におけるエラー表示セットは、文字メッセージによるエラー情報の表示形態に限定されない。
【００７８】
例えば、互いに表示色、文字ポイント、文字フォント、又は動きのある文字変化の異なるエラー表示セットを記憶部７に記憶すれば、異なる文字表現によるメッセージ以外に、互いに、表示色、文字ポイント、文字フォント、又は文字の変化の異なるそのエラー表示セットに基づくエラー情報の表示が可能となる。
【００７９】
図５に示すエラー表示一覧は、図４に示した表示形態とは、表示色、文字ポイント等を変更した別のカスタマイズエラー表示セットに基づく表示を示している。図５中の符号９ｉ、９ｊ、９ｋは表示領域である。
【００８０】
これら表示形態の異なるカスタマイズエラー表示セットを、デフォルトエラー表示セットに関連付けて管理データ中に設定登録しておけば良い。
【００８１】
さらに、本発明の画像形成装置Ａにおいては、画像形成装置Ａ自体の障害に係るエラーに限らず、排紙された印刷用紙に対してステープル処理およびパンチ処理等の後処理を実行する後処理装置（図示せず。）、又は画像形成装置Ａに外部から接続された図示しない装置の障害についても対応可能であり、印刷部１１の印刷動作に関連して発生する障害であれば含まれる。
【００８２】
そして、上述した各実施の形態において、管理データ中のエラー表示セットの選択入力、障害を解除する解除入力を受け付ける入力部は、操作パネル部９に限定されず、外部からのネットワークを介して情報処理装置からの選択も可能である。
【００８３】
また、本発明の画像形成装置Ａにおいて、印刷媒体としては紙用紙に限らず、合成樹脂シート等種々のシート媒体で実施可能である。
【００８４】
さらに、本発明の画像形成装置Ａは、複写機、ファクシミリ機、複合機等の画像形成装置において実施可能である。
【図面の簡単な説明】
【００８５】
【図１】本発明に係る画像形成装置を示す概略ブロック図である。
【図２】図１の画像形成装置の内部構成の概略を示す概略構成図である。
【図３】本発明における管理データを説明する図である。
【図４】本発明におけるエラー情報一覧を説明する図である。
【図５】本発明におけるエラー情報一覧を説明する図である。
【符号の説明】
【００８６】
１  印刷制御部
３  画像読取部
５  通信部
７  記憶部
９  操作パネル部（入力部、表示部）
９ａ、９ｂ、９ｃ、９ｆ、９ｇ、９ｈ、９ｉ、９ｊ、９ｋ  表示領域
９ｄ  切換ボタン
９ｅ  解除ボタン
１１  印刷部
１３  エラー制御部
１５  本体ケース
１７ａ、１７ｂ  給紙段
１９  転写定着部
２１  反転搬送部
２３  排紙口
Ａ  画像形成装置
【図１】
0005222021.tif 000002
【図２】
0005222021.tif 000003
【図３】
0005222021.tif 000004
【図４】
0005222021.tif 000005
【図５】
0005222021.tif 000006